(57)【要約】【課題】  商品管理情報を記入したバーコード等を印刷したシールによって物品を管理するため、シールを剥がして貼り替えると、正確な価格管理、鮮度保持等ができなくなる。また、包装した物品の鮮度保持もできなかった。【解決手段】  本件出願の物品包装方法は、物品包装前又は包装後に包装フィルムの表側に物品管理用の一次元又は二次元のコードを印刷する方法である。この場合、包装フィルムの一部に包装前又は包装後に不透明な下地部分を表示し、その下地部分の上にコードを印刷することができる。また、予め不透明な下地部分が表示されている包装フィルムで物品を包装し、その下地部分にコードを印刷することもできる。更に、鮮度保持加工されている包装フィルムで包装することもできる。  本件出願のコード表示包装物品は、前記いずれかの物品包装方法により物品が包装され、包装した包装フィルムにコードが表示されたものである。【選択図】図１
2007290766.tif 000002
【特許請求の範囲】
【請求項１】
物品包装前又は包装後に包装フィルムに一次元又は二次元のコードを印刷することを特徴とする物品包装方法。
【請求項２】
請求項１記載の物品包装方法において、包装フィルムの一部に包装前又は包装後に不透明な下地を表示し、その下地の上に一次元又は二次元のコードを印刷することを特徴とする物品包装方法。
【請求項３】
請求項１記載の物品包装方法において、予め不透明な下地が表示されている包装フィルムで包装し、その下地の上に一次元又は二次元のコードを印刷することを特徴とする物品包装方法。
【請求項４】
請求項１乃至請求項３のいずれかに記載の物品包装方法において、包装フィルムに鮮度保持加工が施されていることを特徴とする物品包装方法。
【請求項５】
請求項１乃至請求項４のいずれかに記載の物品包装方法により包装されてコードが表示されたことを特徴とするコード表示包装物品。
【発明の詳細な説明】
【技術分野】
【０００１】
本発明は、野菜、果物、魚、肉、惣菜、生菓子といった生鮮食品等の物品を包装フィルムによって包装する方法であって、包装フィルムにバーコードやＱＲコードを表示することによって物品の商品管理や鮮度保持を行うことができるようにした物品包装方法とその包装方法で包装されたコード表示包装物品に関するものである。
【背景技術】
【０００２】
個人商店やスーパー等の小売店では販売物品、特に、生鮮食品は包装フィルムで包装して販売している。それら物品を包装する場合、従来は、物品をトレイに載せたり容器に収容してからトレイや容器ごと樹脂製の薄い包装フィルムで包装したり、トレイにのせずに物品だけを包装フィルムで包装したりしている。また、包装後の包装フィルム表面には価格、製造年月日、賞味期限、生産地等の商品管理情報を記入した一次元のバーコードや二次元のＱＲコード等を印刷したシールを貼って商品管理をしていた。
【発明の開示】
【発明が解決しようとする課題】
【０００３】
従来のシールを貼る管理方法では、貼ったシールを剥がして別のシールに貼り替えることが可能であるため、価格や賞味期限を不正なものに代えられることあり、正確な価格管理、品質管理等ができない虞がある。また、貼ったシールが剥がれることもあり、購入者が商品の品質を正確に判断できなくなることがある。
【課題を解決するための手段】
【０００４】
本発明は、商品管理情報の変更を不可能として物品の鮮度、賞味期限、価格等の商品管理を確実に行うことができ、包装した物品の鮮度保持も可能とした物品包装方法と、その包装方法で包装して一次元のバーコードや二次元のＱＲコード等（以下単に「コード」と記す。）を表示したコード表示包装物品を提供するものである。
【０００５】
本件出願の物品包装方法は、請求項１記載のように、物品包装前又は包装後に包装フィルムの表側に物品管理用のコードを印刷する方法である。この場合、請求項２記載のように、包装フィルムの一部に包装前又は包装後に不透明な下地部分を表示し、その下地部分の上にコードを印刷することができる。また、請求項３記載のように、予め不透明な下地部分が表示されている包装フィルムで物品を包装し、その下地部分にコードを印刷することもできる。更に、請求項４記載のように鮮度保持加工されている包装フィルムで包装することもできる。
【０００６】
本件出願のコード表示包装物品は請求項５記載のように、前記いずれかの物品包装方法により物品が包装され、包装した包装フィルムにコードが表示されたものである。
【発明の効果】
【０００７】
本件出願の請求項１記載の物品包装方法は次のような効果がある。
（１）包装フィルムにコードを印刷するためシールのように簡単に剥がすことができず、物品の鮮度、賞味期限、価格、販売時期等の商品管理を確実に行うことができる。
（２）貼る前のシールの裏面には剥離紙が貼られているため、シールを貼る従来方法では剥離紙がごみとなって発生するが本願発明ではそのようなことも無い。
【０００８】
本件出願の請求項２記載の物品包装方法は、包装フィルムの一部に包装前又は包装後に不透明な下地部分を表示し、その下地部分の上にコードを印刷するので、上記各効果に加えて次のような効果もある。
（１）既存の包装フィルムを使用してもコードを印刷することができる。
（２）コードを不透明な下地の上に表示するため、読み取り機でのコードの読み取りが確実にできる。
【０００９】
本件出願の請求項３記載の物品包装方法は、予め不透明な下地が表示されている包装フィルムで包装し、その下地部分の上にコードを印刷するので下地を表示してからその上にコードを印刷する場合に比してコードの印刷が容易になり、小売店での包装時に手軽に印刷することもできる。
【００１０】
本件出願の請求項４記載の物品包装方法は、包装フィルムに鮮度保持加工が施されているため、上記各効果に加えて、包装した物品を長期間新鮮なまま保存することができる。
【００１１】
本件出願の請求項５記載のコード表示包装物品は、前記いずれかに記載の物品包装方法により包装してコードを表示してあるため商品管理の容易な包装物品となる。
【発明を実施するための最良の形態】
【００１２】
（物品包装方法の実施形態１）
本発明の物品包装方法の実施形態の一例を図１、図２に基づいて説明する。この物品包装方法は図１（ａ）に示すように容器１に収容された物品２を幅方向一端に不透明な下地３が表示されている包装フィルム４を使用して、容器１内に収容されている物品２を容器ごと包装し、その包装フィルム４に二次元のコード５を表示する場合の一例であり、次の手順で包装される。
【００１３】
（１）図１（ｂ）に示すように、ロール状に巻かれた包装フィルム４を引き出して容器１の開口部の上に被せる。
（２）図２（ａ）に示すように、包装フィルム４を容器１の底面まで回して容器１内の物品を容器１ごと包装する。
（３）図２（ｂ）に示すように、容器１を包装した包装フィルム４の下地３の上にコード５を印刷する。下地３は予め印刷されているものであっても包装時に印刷したものであってもよい。
【００１４】
この実施形態の容器１は図１（ａ）に示すように上方開口であり、発泡スチロールとか他の樹脂製である。容器１に収容される物品２は野菜、果物、魚、肉、惣菜、生菓子といった生鮮食品をはじめとする任意の物品である。
【００１５】
図示した包装フィルム４は透明な樹脂製フィルムの表面の幅方向一端に不透明な色の下地３が着色（表示）されている。この下地３は包装フィルム４の製造時に印刷とか吹付け等の任意の手段で帯状に表示されている。下地３はその上に印刷するコード５の色が黒色の場合はコード５の読取り精度を向上させるためには白色が適する。下地３は、コード５が印刷可能であり、印刷された下地３が読み取り可能であれば不透明な任意の色とすることができるが、コード５と対照的な色とするのが好ましい。下地３は図１（ｂ）に示す位置に限らず包装フィルム４の任意の位置に形成することができ、形状も帯状以外の形状、例えば、方形や長方形でもよく、それらが一定間隔で断続的に表示されたものであってもよい。下地３は予め印刷されているものであっても包装時に印刷したものであってもよい。
【００１６】
包装フィルム４の下地３に印刷されるコード５には価格、製造年月日、賞味期限、生産地等の商品管理情報が含まれている。コード５にはＱＲコード、PDF417、DataMatrix、MaxiCodeといった任意の二次元コードを用いることができる。コード５の色は任意の色とすることができるがコードを読み取る上では下地３と対照的な色が望ましい。また、コード５を印刷するために使用する塗料（インク）は速乾性のものが好ましい。コード５は二次元コードではなく、バーコード等の一次元コードであってもよい。
【００１７】
包装フィルム４には鮮度保持剤を含むフィルムを使用することができる。このフィルムは表裏両面又はいずれか一方の面に野菜、果物、肉、魚等の熟成や腐敗を抑制するエチレンモノオキシゲナーゼを含有する生竹、竹酢液等を定着させたものである。この包装フィルムを使用することにより包装した物品２の鮮度を長期間保持することができる。フィルムへの鮮度保持剤の定着はフィルムを鮮度保持剤に浸漬したり、フィルムに鮮度保持剤を塗布したり吹き付けたりすることによって行なうことができる。
【００１８】
（物品包装方法の実施形態２）
この実施形態の物品包装方法は、予め下地３が形成されている包装フィルム４を使用し、この包装フィルム４の下地３の上にコード５を印刷してからその包装フィルム４で容器１を包装する方法である。
【００１９】
（物品包装方法の実施形態３）
この実施形態の物品包装方法は、下地３が形成されていない全面透明な包装フィルム４を使用し、その包装フィルム４で容器１を包装する前又は包装した後に、その包装フィルム４に下地３とコード５を印刷する方法である。下地３及びコード５の印刷位置は包装フィルム４の表面又は裏面の所望箇所とすることができる。
【００２０】
（物品包装方法のその他の実施形態）
この実施形態の物品包装方法は、物品２を容器１に収容することなく包装フィルムで包装する方法である。この場合の下地３及びコード５の印刷は、前記実施形態のいずれかの下地３及びコード５の印刷と同じにすることができる。
【００２１】
前記実施形態のいずれの場合もコード印刷機は片手で持って印刷できるように、片手で持てるサイズ、重量のものが適し、例えばラベルにバーコードを印刷している既存のバーコード印刷機のようなものが適する。下地印刷機も既存のバーコード印刷機のように片手で持てるサイズ、重量のものが適し、ロール状のフィルム原反から引き出したフィルムに片手で持って押し付けてフィルム表面に帯状に印刷できるものが望ましい。
【００２２】
（コード表示包装物品の実施形態）
本発明のコード表示包装物品の実施形態を図２（ｂ）に基づいて説明する。この実施形態の包装物品６は物品２が前記した各種実施形態の物品包装方法によって包装フィルム３で包装されている。このコード表示包装物品は物品２が容器１に収容された状態で包装されているが、物品２によっては容器１に収容せずに物品２を直に包装フィルム４で包装したものとすることもできる。包装される物品２は野菜、果物、魚、肉、惣菜、生菓子といった生鮮食品等、任意の物品とすることができる。この場合の包装フィルム４にも鮮度保持剤が定着された包装フィルムを使用することができる。包装フィルム４には不透明な下地３が設けられ、その下地３の上にコード５が印刷されている。このコード５も価格、製造年月日、賞味期限、生産地等の商品管理情報が記録されたバーコード、ＱＲコード、PDF417、DataMatrix、MaxiCode等の任意種類のコードとしてある。
【産業上の利用可能性】
【００２３】
本発明の物品包装方法及びその方法によって包装された包装物品は、生鮮食品の包装には限られず、生花の包装や、調味料の包装等、任意の物品の包装にも応用することができる。
【図面の簡単な説明】
【００２４】
【図１】（ａ）、（ｂ）は、本発明の物品包装方法の実施形態の一例を示す説明斜視図。（ａ）は容器に入れられた物品の様子、（ｂ）は包装フィルムで容器の開口部を覆う様子を夫々示す。
【図２】（ａ）、（ｂ）は、本発明の物品包装方法の実施形態の一例を示す説明斜視図。（ａ）は包装フィルムで容器を包装する様子、（ｂ）は容器を包装した包装フィルムの下地にバーコードを印刷した様子を夫々示す。
【符号の説明】
【００２５】
１  容器
２  物品
３  下地
４  包装フィルム
５  コード
６  包装物品
【図１】
2007290766.tif 000003
【図２】
2007290766.tif 000004